【手続補正書】
【提出日】平成23年10月31日(2011.10.31)
【手続補正１】
【補正対象書類名】明細書
【補正対象項目名】発明の名称
【補正方法】変更
【補正の内容】
【発明の名称】画像処理装置、画像処理装置の制御方法、プログラム
【手続補正２】
【補正対象書類名】特許請求の範囲
【補正対象項目名】全文
【補正方法】変更
【補正の内容】
【特許請求の範囲】
【請求項１】
原稿上の画像を読み取って当該画像に基づく画像データを生成する読取手段と、
前記読取手段が実行すべき読取処理の内容及び当該読取手段により生成された画像データを送信する送信処理の内容を定義したプロセス定義ファイルを取得する取得手段と、
前記読取手段に読取処理を実行させて、前記取得手段が取得したプロセス定義ファイルに記述された定義に従った画像データを生成させる読取制御手段と、
前記読取制御手段により生成された画像データを、前記取得手段が取得したプロセス定義ファイルに記述された定義に従って送信するよう外部装置に依頼する依頼手段と、
前記外部装置による画像データの送信処理の結果を通知する通知処理を前記外部装置に実行させるための記述を前記取得手段が取得したプロセス定義ファイルに追記する追記手段と、
前記送信処理の結果が前記外部装置から通知された場合に、当該通知された送信処理の結果を出力する出力手段と、
前記出力手段が使用可能な状態であるか否かを判別する状態判別手段と、を備え、
前記追記手段は、前記出力手段が使用可能な状態であると前記状態判別手段が判別した場合は、前記送信処理の結果を前記画像処理装置に対して通知させるための記述を前記プロセス定義ファイルに追記し、前記出力手段が使用可能な状態でないと前記状態判別手段が判別した場合は、前記送信処理の結果を前記画像処理装置とは異なる装置に対して通知させるための記述を前記プロセス定義ファイルに追記し、
前記依頼手段は、前記読取手段により生成された画像データと、前記追記手段による追記が行われたプロセス定義ファイルとを、前記外部装置に送信することにより、前記依頼を行うことを特徴とする画像処理装置。
【請求項２】
原稿上の画像を読み取って当該画像に基づく画像データを生成する読取手段と、
前記読取手段が実行すべき読取処理の内容及び当該読取手段により生成された画像データを送信する送信処理の内容を定義したプロセス定義ファイルを取得する取得手段と、
前記読取手段に読取処理を実行させて、前記取得手段が取得したプロセス定義ファイルに記述された定義に従った画像データを生成させる読取制御手段と、
前記読取制御手段により生成された画像データを、前記取得手段が取得したプロセス定義ファイルに記述された定義に従って送信するよう外部装置に依頼する依頼手段と、
前記外部装置による画像データの送信処理の結果を通知する通知処理を前記外部装置に実行させるための記述を前記取得手段が取得したプロセス定義ファイルに追記する追記手段と、
前記送信処理の結果が前記外部装置から通知された場合に、当該通知された送信処理の結果を出力する出力手段と、
ユーザを認証する認証手段と、
前記認証手段により認証されたユーザが前記出力手段を使用する権限を有しているか否かを判別する権限判別手段と、を備え、
前記追記手段は、前記認証手段により認証されたユーザが前記出力手段を使用する権限を有していると前記権限判別手段が判別した場合は、前記送信処理の結果を前記画像処理装置に対して通知させるための記述を前記プロセス定義ファイルに追記し、前記認証手段により認証されたユーザが前記出力手段を使用する権限を有していないと前記権限判別手段が判別した場合は、前記送信処理の結果を前記画像処理装置とは異なる装置に対して通知させるための記述を前記プロセス定義ファイルに追記し、
前記依頼手段は、前記読取手段により生成された画像データと、前記追記手段による追記が行われたプロセス定義ファイルとを、前記外部装置に送信することにより、前記依頼を行うことを特徴とする画像処理装置。
【請求項３】
前記出力手段は、前記通知された送信処理の結果を記録媒体上に印刷する印刷手段であることを特徴とする請求項１または２に記載の画像処理装置。
【請求項４】
原稿上の画像を読み取って当該画像に基づく画像データを生成する読取手段と、
前記読取手段が実行すべき読取処理の内容及び当該読取手段により生成された画像データを送信する送信処理の内容を定義したプロセス定義ファイルを取得する取得手段と、
前記読取手段に読取処理を実行させて、前記取得手段が取得したプロセス定義ファイルに記述された定義に従った画像データを生成させる読取制御手段と、
前記読取制御手段により生成された画像データを、前記取得手段が取得したプロセス定義ファイルに記述された定義に従って送信するよう外部装置に依頼する依頼手段と、
前記外部装置による画像データの送信処理の結果を通知する通知処理を前記外部装置に実行させるための記述を前記取得手段が取得したプロセス定義ファイルに追記する追記手段と、
ユーザを認証する認証手段と、
前記認証手段により認証される各ユーザに対応する通知先を管理する通知先管理手段と、を備え、
前記追記手段は、前記通知先管理手段により管理されている通知先のうち、前記認証手段により認証されたユーザに対応する通知先を特定し、当該特定した通知先に対して前記送信処理の結果を通知させるための記述を前記プロセス定義ファイルに追記し、
前記依頼手段は、前記読取手段により生成された画像データと、前記追記手段による追記が行われたプロセス定義ファイルとを、前記外部装置に送信することにより、前記依頼を行うことを特徴とする画像処理装置。
【請求項５】
前記認証手段により認証されたユーザに対応する通知先が前記通知先管理手段により管理されていない場合は、前記追記手段は、前記送信処理の結果を前記画像処理装置に対して通知させるための記述を前記プロセス定義ファイルに追記することを特徴とする請求項４に記載の画像処理装置。
【請求項６】
前記認証手段により認証されたユーザがログイン中であるか、または既にログアウト済みであるかを判定する判定手段を更に備え、
前記追記手段は、前記認証手段により認証されたユーザがログイン中であると前記判定手段が判定した場合は、前記送信処理の結果を前記画像処理装置に対して通知させるための記述を前記プロセス定義ファイルに追記し、前記認証手段により認証されたユーザが既にログアウト済みであると前記判定手段が判定した場合は、前記通知先管理手段により管理されている通知先のうち、前記認証手段により認証されたユーザに対応する通知先に対して前記送信処理の結果を通知させるための記述を前記プロセス定義ファイルに追記することを特徴とする請求項４または５に記載の画像処理装置。
【請求項７】
前記通知先管理手段により管理されている通知先とは、メールアドレスであることを特徴とする請求項４から６のいずれか１項に記載の画像処理装置。
【請求項８】
原稿上の画像を読み取って当該画像に基づく画像データを生成する読取手段と、
前記読取手段が実行すべき読取処理の内容及び当該読取手段により生成された画像データを送信する送信処理の内容を定義したプロセス定義ファイルを取得する取得手段と、
前記読取手段に読取処理を実行させて、前記取得手段が取得したプロセス定義ファイルに記述された定義に従った画像データを生成させる読取制御手段と、
前記読取制御手段により生成された画像データを、前記取得手段が取得したプロセス定義ファイルに記述された定義に従って送信するよう外部装置に依頼する依頼手段と、
前記外部装置による画像データの送信処理の結果を通知する通知処理を前記外部装置に実行させるための記述を前記取得手段が取得したプロセス定義ファイルに追記する追記手段と、
前記送信処理の結果をユーザに通知する際の通知方法を、ユーザからの指示に従って選択する選択手段と、を備え、
前記追記手段は、前記送信処理の結果を前記選択手段により選択された通知方法で通知させるための記述を前記プロセス定義ファイルに追記し、
前記依頼手段は、前記読取手段により生成された画像データと、前記追記手段による追記が行われたプロセス定義ファイルとを、前記外部装置に送信することにより、前記依頼を行うことを特徴とする画像処理装置。
【請求項９】
前記取得手段は、ファイル管理サーバに対して前記プロセス定義ファイルを要求し、当該ファイル管理サーバにおいて管理されているプロセス定義ファイルを取得することを特徴とする請求項１から８のいずれか１項に記載の画像処理装置。
【請求項１０】
原稿上の画像を読み取って当該画像に基づく画像データを生成する読取手段を備えた画像処理装置の制御方法であって、
前記読取手段が実行すべき読取処理の内容及び当該読取手段により生成された画像データを送信する送信処理の内容を定義したプロセス定義ファイルを取得する取得工程と、
前記読取手段に読取処理を実行させて、前記取得工程で取得したプロセス定義ファイルに記述された定義に従った画像データを生成させる読取制御工程と、
前記読取制御工程で生成された画像データを、前記取得工程で取得したプロセス定義ファイルに記述された定義に従って送信するよう外部装置に依頼する依頼工程と、
前記外部装置による画像データの送信処理の結果を通知する通知処理を前記外部装置に実行させるための記述を前記取得工程で取得したプロセス定義ファイルに追記する追記工程と、
前記送信処理の結果が前記外部装置から通知された場合に、当該通知された送信処理の結果を、出力手段を用いて出力する出力工程と、
前記出力手段が使用可能な状態であるか否かを判別する状態判別工程と、を備え、
前記追記工程では、前記出力手段が使用可能な状態であると前記状態判別工程で判別した場合は、前記送信処理の結果を前記画像処理装置に対して通知させるための記述を前記プロセス定義ファイルに追記し、前記出力手段が使用可能な状態でないと前記状態判別工程で判別した場合は、前記送信処理の結果を前記画像処理装置とは異なる装置に対して通知させるための記述を前記プロセス定義ファイルに追記し、
前記依頼工程では、前記読取手段により生成された画像データと、前記追記工程で追記が行われたプロセス定義ファイルとを、前記外部装置に送信することにより、前記依頼を行うことを特徴とする画像処理装置の制御方法。
【請求項１１】
原稿上の画像を読み取って当該画像に基づく画像データを生成する読取手段を備えた画像処理装置の制御方法であって、
前記読取手段が実行すべき読取処理の内容及び当該読取手段により生成された画像データを送信する送信処理の内容を定義したプロセス定義ファイルを取得する取得工程と、
前記読取手段に読取処理を実行させて、前記取得工程で取得したプロセス定義ファイルに記述された定義に従った画像データを生成させる読取制御工程と、
前記読取制御工程で生成された画像データを、前記取得工程で取得したプロセス定義ファイルに記述された定義に従って送信するよう外部装置に依頼する依頼工程と、
前記外部装置による画像データの送信処理の結果を通知する通知処理を前記外部装置に実行させるための記述を前記取得工程で取得したプロセス定義ファイルに追記する追記工程と、
前記送信処理の結果が前記外部装置から通知された場合に、当該通知された送信処理の結果を、出力手段を用いて出力する出力工程と、
ユーザを認証する認証工程と、
前記認証工程で認証されたユーザが前記出力手段を使用する権限を有しているか否かを判別する権限判別工程と、を備え、
前記追記工程では、前記認証工程で認証されたユーザが前記出力手段を使用する権限を有していると前記権限判別工程で判別した場合は、前記送信処理の結果を前記画像処理装置に対して通知させるための記述を前記プロセス定義ファイルに追記し、前記認証工程で認証されたユーザが前記出力手段を使用する権限を有していないと前記権限判別工程で判別した場合は、前記送信処理の結果を前記画像処理装置とは異なる装置に対して通知させるための記述を前記プロセス定義ファイルに追記し、
前記依頼工程では、前記読取手段により生成された画像データと、前記追記工程で追記が行われたプロセス定義ファイルとを、前記外部装置に送信することにより、前記依頼を行うことを特徴とする画像処理装置の制御方法。
【請求項１２】
原稿上の画像を読み取って当該画像に基づく画像データを生成する読取手段を備えた画像処理装置の制御方法であって、
前記読取手段が実行すべき読取処理の内容及び当該読取手段により生成された画像データを送信する送信処理の内容を定義したプロセス定義ファイルを取得する取得工程と、
前記読取手段に読取処理を実行させて、前記取得工程で取得したプロセス定義ファイルに記述された定義に従った画像データを生成させる読取制御工程と、
前記読取制御工程で生成された画像データを、前記取得工程で取得したプロセス定義ファイルに記述された定義に従って送信するよう外部装置に依頼する依頼工程と、
前記外部装置による画像データの送信処理の結果を通知する通知処理を前記外部装置に実行させるための記述を前記取得工程で取得したプロセス定義ファイルに追記する追記工程と、
ユーザを認証する認証工程と、
前記認証工程で認証される各ユーザに対応する通知先を管理する通知先管理工程と、を備え、
前記追記工程では、前記通知先管理工程で管理されている通知先のうち、前記認証工程で認証されたユーザに対応する通知先を特定し、当該特定した通知先に対して前記送信処理の結果を通知させるための記述を前記プロセス定義ファイルに追記し、
前記依頼工程では、前記読取手段により生成された画像データと、前記追記工程で追記が行われたプロセス定義ファイルとを、前記外部装置に送信することにより、前記依頼を行うことを特徴とする画像処理装置の制御方法。
【請求項１３】
原稿上の画像を読み取って当該画像に基づく画像データを生成する読取手段を備えた画像処理装置の制御方法であって、
前記読取手段が実行すべき読取処理の内容及び当該読取手段により生成された画像データを送信する送信処理の内容を定義したプロセス定義ファイルを取得する取得工程と、
前記読取手段に読取処理を実行させて、前記取得工程で取得したプロセス定義ファイルに記述された定義に従った画像データを生成させる読取制御工程と、
前記読取制御工程で生成された画像データを、前記取得工程で取得したプロセス定義ファイルに記述された定義に従って送信するよう外部装置に依頼する依頼工程と、
前記外部装置による画像データの送信処理の結果を通知する通知処理を前記外部装置に実行させるための記述を前記取得工程で取得したプロセス定義ファイルに追記する追記工程と、
前記送信処理の結果をユーザに通知する際の通知方法を、ユーザからの指示に従って選択する選択工程と、を備え、
前記追記工程では、前記送信処理の結果を前記選択工程で選択された通知方法で通知させるための記述を前記プロセス定義ファイルに追記し、
前記依頼工程では、前記読取手段により生成された画像データと、前記追記工程で追記が行われたプロセス定義ファイルとを、前記外部装置に送信することにより、前記依頼を行うことを特徴とする画像処理装置の制御方法。
【請求項１４】
請求項１０乃至１３のいずれか１項に記載の画像処理装置の制御方法をコンピュータに実行させるためのプログラム。
【手続補正３】
【補正対象書類名】明細書
【補正対象項目名】０００１
【補正方法】変更
【補正の内容】
【０００１】
本発明は、原稿上の画像を読み取って当該画像に基づく画像データを生成し、該生成した画像データの送信を外部装置に依頼する画像処理装置、画像処理装置の制御方法、プログラムに関する。
【手続補正４】
【補正対象書類名】明細書
【補正対象項目名】００１１
【補正方法】変更
【補正の内容】
【００１１】
上記の目的を達成するために本発明の画像処理装置は、原稿上の画像を読み取って当該画像に基づく画像データを生成する読取手段と、前記読取手段が実行すべき読取処理の内容及び当該読取手段により生成された画像データを送信する送信処理の内容を定義したプロセス定義ファイルを取得する取得手段と、前記読取手段に読取処理を実行させて、前記取得手段が取得したプロセス定義ファイルに記述された定義に従った画像データを生成させる読取制御手段と、前記読取制御手段により生成された画像データを、前記取得手段が取得したプロセス定義ファイルに記述された定義に従って送信するよう外部装置に依頼する依頼手段と、前記外部装置による画像データの送信処理の結果を通知する通知処理を前記外部装置に実行させるための記述を前記取得手段が取得したプロセス定義ファイルに追記する追記手段と、前記送信処理の結果が前記外部装置から通知された場合に、当該通知された送信処理の結果を出力する出力手段と、前記出力手段が使用可能な状態であるか否かを判別する状態判別手段と、を備え、前記追記手段は、前記出力手段が使用可能な状態であると前記状態判別手段が判別した場合は、前記送信処理の結果を前記画像処理装置に対して通知させるための記述を前記プロセス定義ファイルに追記し、前記出力手段が使用可能な状態でないと前記状態判別手段が判別した場合は、前記送信処理の結果を前記画像処理装置とは異なる装置に対して通知させるための記述を前記プロセス定義ファイルに追記し、前記依頼手段は、前記読取手段により生成された画像データと、前記追記手段による追記が行われたプロセス定義ファイルとを、前記外部装置に送信することにより、前記依頼を行うことを特徴とする。また、本発明の画像処理装置は、原稿上の画像を読み取って当該画像に基づく画像データを生成する読取手段と、前記読取手段が実行すべき読取処理の内容及び当該読取手段により生成された画像データを送信する送信処理の内容を定義したプロセス定義ファイルを取得する取得手段と、前記読取手段に読取処理を実行させて、前記取得手段が取得したプロセス定義ファイルに記述された定義に従った画像データを生成させる読取制御手段と、前記読取制御手段により生成された画像データを、前記取得手段が取得したプロセス定義ファイルに記述された定義に従って送信するよう外部装置に依頼する依頼手段と、前記外部装置による画像データの送信処理の結果を通知する通知処理を前記外部装置に実行させるための記述を前記取得手段が取得したプロセス定義ファイルに追記する追記手段と、前記送信処理の結果が前記外部装置から通知された場合に、当該通知された送信処理の結果を出力する出力手段と、ユーザを認証する認証手段と、前記認証手段により認証されたユーザが前記出力手段を使用する権限を有しているか否かを判別する権限判別手段と、を備え、前記追記手段は、前記認証手段により認証されたユーザが前記出力手段を使用する権限を有していると前記権限判別手段が判別した場合は、前記送信処理の結果を前記画像処理装置に対して通知させるための記述を前記プロセス定義ファイルに追記し、前記認証手段により認証されたユーザが前記出力手段を使用する権限を有していないと前記権限判別手段が判別した場合は、前記送信処理の結果を前記画像処理装置とは異なる装置に対して通知させるための記述を前記プロセス定義ファイルに追記し、前記依頼手段は、前記読取手段により生成された画像データと、前記追記手段による追記が行われたプロセス定義ファイルとを、前記外部装置に送信することにより、前記依頼を行うことを特徴とする。
【手続補正５】
【補正対象書類名】明細書
【補正対象項目名】００１２
【補正方法】変更
【補正の内容】
【００１２】
また、本発明の画像処理装置は、原稿上の画像を読み取って当該画像に基づく画像データを生成する読取手段と、前記読取手段が実行すべき読取処理の内容及び当該読取手段により生成された画像データを送信する送信処理の内容を定義したプロセス定義ファイルを取得する取得手段と、前記読取手段に読取処理を実行させて、前記取得手段が取得したプロセス定義ファイルに記述された定義に従った画像データを生成させる読取制御手段と、前記読取制御手段により生成された画像データを、前記取得手段が取得したプロセス定義ファイルに記述された定義に従って送信するよう外部装置に依頼する依頼手段と、前記外部装置による画像データの送信処理の結果を通知する通知処理を前記外部装置に実行させるための記述を前記取得手段が取得したプロセス定義ファイルに追記する追記手段と、ユーザを認証する認証手段と、前記認証手段により認証される各ユーザに対応する通知先を管理する通知先管理手段と、を備え、前記追記手段は、前記通知先管理手段により管理されている通知先のうち、前記認証手段により認証されたユーザに対応する通知先を特定し、当該特定した通知先に対して前記送信処理の結果を通知させるための記述を前記プロセス定義ファイルに追記し、前記依頼手段は、前記読取手段により生成された画像データと、前記追記手段による追記が行われたプロセス定義ファイルとを、前記外部装置に送信することにより、前記依頼を行うことを特徴とする。また、本発明の画像処理装置は、原稿上の画像を読み取って当該画像に基づく画像データを生成する読取手段と、前記読取手段が実行すべき読取処理の内容及び当該読取手段により生成された画像データを送信する送信処理の内容を定義したプロセス定義ファイルを取得する取得手段と、前記読取手段に読取処理を実行させて、前記取得手段が取得したプロセス定義ファイルに記述された定義に従った画像データを生成させる読取制御手段と、前記読取制御手段により生成された画像データを、前記取得手段が取得したプロセス定義ファイルに記述された定義に従って送信するよう外部装置に依頼する依頼手段と、前記外部装置による画像データの送信処理の結果を通知する通知処理を前記外部装置に実行させるための記述を前記取得手段が取得したプロセス定義ファイルに追記する追記手段と、前記送信処理の結果をユーザに通知する際の通知方法を、ユーザからの指示に従って選択する選択手段と、を備え、前記追記手段は、前記送信処理の結果を前記選択手段により選択された通知方法で通知させるための記述を前記プロセス定義ファイルに追記し、前記依頼手段は、前記読取手段により生成された画像データと、前記追記手段による追記が行われたプロセス定義ファイルとを、前記外部装置に送信することにより、前記依頼を行うことを特徴とする。